(57)【要約】【課題】肉眼での視認効果を得るのが容易でない夜間等であっても文字板の立体感を十分に認識させることのできる車両用計器を提供すること。【解決手段】環状の起立連絡面３３ｂの光透過部３３ｅを透過して環状の傾斜面３３ａの正面側を照明する光源７Ａからの照明光の到達光量が最も高い第１の光透過部領域３３ｆは、コート印刷層３ｄと２つの白色光拡散層３ｃ，３ｅとの基材３ａへの積層形成により、透過時の照明光の減衰率を低くし、光源７Ａからの照明光の到達光量が次に高い第２の光透過部領域３３ｇは、コート印刷層３ｄと白色光拡散層３ｃとの基材３ａへの積層形成により、透過時の照明光の減衰率を２番目に低くし、光源７Ａからの照明光の到達光量が最も低い第３の光透過部領域３３ｈは、コート印刷層３ｄのみの基材３ａへの積層形成により、透過時の照明光の減衰率を最も高くした。【選択図】図２
2008032399.tif 000002
【特許請求の範囲】
【請求項１】
計測値を表示する計器の文字板に、前記計測値の表示領域の外周に位置する環状表示領域を設け、該環状表示領域に、前記文字板の正面側に起立する環状の起立連絡面を形成した車両用計器であって、
前記起立連絡面には、該起立連絡面の背面側の光源から照射された照明光が前記文字板の正面側に透過可能な光透過部が形成されており、
前記光透過部は、前記文字板の透光性の基材上に積層した少なくとも１層の半透明光拡散層を有しており、
前記半透明光拡散層には、前記起立連絡面の周方向と交差する前記起立連絡面の起立方向における幅が先細りとなり前記起立方向に列設された複数のＶカット部が形成されている、
ことを特徴とする車両用計器。
【請求項２】
前記光透過部は、前記起立連絡面の周方向において複数の光透過部領域に分割されており、前記周方向における前記光源からの距離が遠い前記光透過部領域ほど、前記周方向における前記光源からの距離が近い光透過部領域よりも、前記半透明光拡散層の積層数が少なく構成されており、前記周方向において隣り合う２つの前記光透過部領域の境界に位置する前記半透明光拡散層の終端部に、複数のＶカット部がそれぞれ形成されている請求項１記載の車両用計器。
【請求項３】
前記環状表示領域は、前記計測値の表示領域と前記起立連絡面との間に設けられて前記計測値の表示領域に対し前記文字板の背面側に傾斜する環状の傾斜面を有しており、該傾斜面は前記起立連絡面により前記環状表示領域の外側の文字板部分に接続されている請求項１又は２記載の車両用計器。
【発明の詳細な説明】
【技術分野】
【０００１】
本発明は、計測値の表示領域の外周に設けた立体的な環状表示領域における目盛表示を正面側から照明する車両用計器に関する。
【背景技術】
【０００２】
走行速度やエンジン回転数等の計測値を表示する車両用計器においては、従来からその見栄えの単調さを解消すべく種々の工夫が実施又は提案されており、その一例として文字板の立体化が挙げられる。
【０００３】
図５はそのような文字板の立体化を図った従来の車両用計器の正面図であり、この車両用計器では、指針１の回転範囲に応じた計測値の表示領域３１が文字板３上に確保されており、その外周の文字板部分には、指針１が指示する指示値の目安とするための透過照明式の目盛を構成する意匠抜き部分３３ｄを周方向に間隔をおいて複数有する環状表示領域３３が設けられており、この環状表示領域３３の外側の文字板３部分は、見返し板３５によって文字板３の正面側から覆い隠されている。
【０００４】
前記環状表示領域３３には、図６に図５の文字板の要部截断斜視図で示すように、表示領域３１から離れるほど文字板３の背面側に後退するよう傾斜する環状の傾斜面３３ａが配置されている。
【０００５】
この傾斜面３３ａは、その外側の文字板３部分に傾斜面３３ａを接続する起立連絡面３３ｂと共に環状表示領域３３を構成しており、傾斜面３３ａの正面側には、指針１が指示する指示値の目安とするための透過照明式の目盛部を構成する意匠抜き部分３３ｄが、周方向に間隔をおいて複数配置されている。
【０００６】
各意匠抜き部分３３ｄは、文字板３の表示領域３１と環状表示領域３３の傾斜面３３ａ部分において、透明基板からなる文字板３の基材３ａの正面（表面）を覆う遮光印刷層３ｂの、傾斜面３３ａ部分に配置した印刷抜きによって形成されている。
【０００７】
そして、この車両用計器では、文字板３の背面側に配置した導光板５により光源７から導光されて、傾斜面３３ａの背面側から、基材３ａの背面側と正面側とにそれぞれ積層した白色光拡散層３ｅ，３ｃと基材３ａとを介して遮光印刷層３ｂの各意匠抜き部分３３ｄを透過した照明光が、遮光印刷層３ｂの正面を覆うクリアー又はスモーク色等のコート印刷層３ｄをさらに透過して、文字板３の正面側から視認されることで、各意匠抜き部分３３ｄの透過照明がなされる。
【０００８】
尚、図５に示すように、環状表示領域３３の外側の文字板３部分は、見返し板３５によって文字板３の正面側から覆い隠されている。
【０００９】
このような従来の車両用計器によれば、傾斜斜面３３ａの存在により文字板３に凹凸を設けることで、立体感のある計器を構成することができる。
【００１０】
ところで、上述した従来の車両用計器は、傾斜面３３ａ周りの凹凸を肉眼で視認することで文字板３の立体感を得るものであるため、例えば夜間等、傾斜面３３ａ周りを肉眼で視認するのが困難な環境下では、透過照明される意匠抜き部分３３ｄの存在は視認できたとしても傾斜面３３ａ周りの立体感を認識するのは容易でない。
【００１１】
そこで、図７に要部截断斜視図で示すように、起立連絡面３３ｂに、遮光印刷層３ｂを除去した環状の光透過部３３ｅを形成し、起立連絡面３３ｂの背面側にも白色ＬＥＤチップ等からなる光源７Ａを配設して、この光源７Ａから光透過部３３ｅを透過する光により傾斜面３３ａの正面側を照明するようにしている。
【００１２】
この場合、光源７Ａから離れた光透過部３３ｅ部分では、光源７Ａから近い光透過部３３ｅ部分よりも光源７Ａからの到達光量が低いので、このままでは、光源７Ａからの距離に応じて傾斜面３３ａの照明光量にムラができてしまう。
【００１３】
そのため、例えば、起立連絡面３３ｂの背面側に位置する白色光拡散層３ｅに、図８に要部拡大断面図で示す網点印刷３ｒを、図７に示すように、起立連絡面３３ｂの周方向における網点３ｐの間隔を白色光拡散層３ｃ，３ｅの終端部に向かうにつれて徐々に拡げて形成し、これにより、起立連絡面３３ｂの周方向において、白色光拡散層３ｃ、３ｅの終端部に向かうにつれて光透過部３３ｅの光透過率が徐々に高くなるようにすることが、考えられる。
【発明の開示】
【発明が解決しようとする課題】
【００１４】
しかしながら、基材３ａの正面側に白色光拡散層３ｃや遮光印刷層３ｂ、半透光性印刷層３ｄを積層形成し、また、基材３ａの背面側に白色光拡散層３ｅを積層形成した後に、環状表示領域３３の傾斜面３３ａや起立連絡面３３ｂを、例えば高圧成型（圧空成型）やプレス成形、絞り成形等の成形工程により形成すると、起立連絡面３３ｂの高圧成型（圧空成型）やプレス成形に際して折曲される部分や、絞り成形に際して絞られる部分に近い、起立連絡面３３ｂの起立方向（周方向と直交する方向）の両端部において、上述した網点印刷３ｒの網点３ｐの間隔が、図９（ａ）の説明図で示す起立方向の中央部と等間隔の状態から、図９（ｂ）の説明図で示すように拡がってしまう。
【００１５】
そのため、光透過部３３ｅの網点印刷３ｒを形成した部分を透過する光源７Ａからの照明光の光量が、起立連絡面３３ｂの起立方向において変化し、それによる照明ムラが傾斜面３３ａの正面側に発生してしまう。
【００１６】
本発明は前記事情に鑑みなされたもので、本発明の目的は、文字板に立体感を持たせるため計測値の表示領域の周囲に設けた環状の傾斜面の夜間における視認性を、傾斜面の外側に位置する起立連絡面を透過して傾斜面の正面側に照射される照明光によって高めるに当たり、照明用の光源からの距離の違いによる照明光の明るさのムラを、傾斜面の周方向のみならず起立連絡面の起立方向においても解消することのできる車両用計器を提供することにある。
【課題を解決するための手段】
【００１７】
前記目的を達成するため請求項１に記載した本発明の車両用計器は、計測値を表示する計器の文字板に、前記計測値の表示領域の外周に位置する環状表示領域を設け、該環状表示領域に、前記文字板の正面側に起立する環状の起立連絡面を形成した車両用計器であって、前記起立連絡面に、該起立連絡面の背面側の光源から照射された照明光が前記文字板の正面側に透過可能な光透過部が形成されており、前記光透過部が、前記文字板の透光性の基材上に積層した少なくとも１層の半透明光拡散層を有しており、前記半透明光拡散層に、前記起立連絡面の周方向と交差する前記起立連絡面の起立方向における幅が先細りとなり前記起立方向に列設された複数のＶカット部が形成されていることを特徴とする。
【００１８】
また、請求項２に記載した本発明の車両用計器は、請求項１に記載した本発明の車両用計器において、前記光透過部が、前記起立連絡面の周方向において複数の光透過部領域に分割されており、前記周方向における前記光源からの距離が遠い前記光透過部領域ほど、前記周方向における前記光源からの距離が近い光透過部領域よりも、前記半透明光拡散層の積層数が少なく構成されており、前記周方向において隣り合う２つの前記光透過部領域の境界に位置する前記半透明光拡散層の終端部に、複数のＶカット部がそれぞれ形成されている構成とした。
【００１９】
さらに、請求項３に記載した本発明の車両用計器は、請求項１又は２に記載した本発明の車両用計器において、前記環状表示領域が、前記計測値の表示領域と前記起立連絡面との間に設けられて前記計測値の表示領域に対し前記文字板の背面側に傾斜する環状の傾斜面を有しており、該傾斜面が前記起立連絡面により前記環状表示領域の外側の文字板部分に接続されている構成とした。
【発明の効果】
【００２０】
請求項１に記載した本発明の車両用計器によれば、文字板の環状表示領域を形成するための、例えば高圧成型（圧空成型）やプレス成形、絞り成形等の成形工程により、基材上に積層された半透明光拡散層の、起立連絡面の起立方向における一部の領域が、同方向に伸縮する場合、起立連絡面の起立方向に複数列設された、起立方向における幅が先細りとなるＶカット部の伸縮の度合いが、各Ｖカット部の相互間で異なるだけで、起立連絡面の周方向におけるどの位置においても、Ｖカット部とその周辺の部分との存在比率は、各Ｖカット部とも同じである。
【００２１】
このため、光透過部を透過して文字板の正面側を照明する照明光に、起立連絡面の起立方向において照明ムラが生じるのを防止し、文字板の正面側を起立連絡面の起立方向において同じような光量で照明することができる。
【００２２】
また、請求項２に記載した本発明の車両用計器によれば、請求項１に記載した本発明の車両用計器において、光源から出射された照明光の到達光量が相対的に高い、起立連絡面の周方向における光源からの距離が近い光透過部領域では、起立連絡面の背面側から正面側に照明光が透過する半透明光拡散層の積層数が相対的に多く、光透過部領域の透過時における照明光の減衰率が相対的に高いのに対して、光源から出射された照明光の到達光量が相対的に低い、起立連絡面の周方向における光源からの距離が遠い光透過部領域では、起立連絡面の背面側から正面側に照明光が透過する半透明光拡散層の積層数が相対的に少なく、光透過部領域の透過時における照明光の減衰率が相対的に低くなる。
【００２３】
しかも、起立連絡面の周方向における光源からの距離が遠い隣の光透過部領域との境界に位置する半透明光拡散層の終端部においては、自光透過部領域よりも半透明光拡散層の積層数が少なく相対的に照明光の減衰率が低い隣の光透過部領域に近づけば近づくほど、隣の光透過部領域に近い光透過率で照明光が光透過部領域を透過する。
【００２４】
このため、隣の光透過部領域との境界において光透過部領域を透過する照明光の光量が急激に変化して、それによる照明ムラが傾斜面の正面側に発生するのを防止し、隣り合う光透過部領域の境界部分においても、文字板の正面側を起立連絡面の周方向において同じような光量で照明することができる。
【００２５】
尚、請求項１又は２に記載した本発明の車両用計器において、光透過部を透過した照明光が照明する領域は、請求項３に記載した本発明の車両用計器のように、文字板の計測値の表示領域に対して文字板の背面側に傾斜する環状の傾斜面の正面側とすることができる。
【発明を実施するための最良の形態】
【００２６】
以下、本発明の車両用計器の実施形態について、図面を参照して説明する。
【００２７】
図１は、図６の文字板に図７とは構成の異なる光透過部３３ｅを設けた、本発明の適用対象となる車両用計器の文字板の一例を示す要部截断斜視図であり、図１中図６及び図７と同一の部分、部材には、それらの図で付したものと同一の引用符号を付して、重複する説明を省略する。
【００２８】
本実施形態の文字板３では、起立連絡面３３ｂの光透過部３３ｅが、起立連絡面３３ｂの周方向における光源７Ａからの距離が近い順に、第１乃至第３の３つの光透過部領域３３ｆ，３３ｇ，３３ｈに分割されている。
【００２９】
そして、基材３ａの正面側の白色光拡散層３ｃ（請求項中の半透明光拡散層に相当）は第１及び第２光透過部領域３３ｆ，３３ｇに、遮光印刷層３ｂの上に積層されたコート印刷層３ｄ（請求項中の半透明光拡散層に相当）は第１乃至第３の３つの光透過部領域３３ｆ，３３ｇ，３３ｈの全体に、基材３ａの背面側の白色光拡散層３ｅ（請求項中の半透明光拡散層に相当）は第１光透過部領域３３ｆのみに、それぞれ積層形成されている。
【００３０】
そして、図２に要部截断斜視図で示すように、起立連絡面３３ｂの周方向において隣り合う第１と第２の光透過部領域３３ｆ，３３ｇの境界に位置する、起立連絡面３３ｂの背面側の白色光拡散層３ｅの終端部や、第２と第３の光透過部領域３３ｇ，３３ｈの境界に位置する、起立連絡面３３ｂの正面側の白色光拡散層３ｃの終端部には、起立連絡面３３ｂの起立方向における幅が先細りとなるＶカット部３ｍ，３ｍ，…、３ｎ，３ｎ，…を起立方向に複数列設して構成した過渡領域３ｊ，３ｋが設けられている。
【００３１】
このように構成された本実施形態の車両用計器では、起立連絡面３３ｂの背面側に配設された光源７Ａから出射された照明光が、起立連絡面３３ｂの光拡散部３３ｅを透過して、起立連絡面３３ｂの正面側に臨む傾斜面３３ａの正面側に照射されてこれを照明する。
【００３２】
このとき、光源７Ａからの照明光の到達光量は、起立連絡面３３ｂの周方向において光源７Ａに最も近い第１の光透過部領域３３ｆが最も高く、ついで、起立連絡面３３ｂの周方向における光源７Ａからの距離が第１の光透過部領域３３ｆの次に近い第２の光透過部領域３３ｇが高く、起立連絡面３３ｂの周方向における光源７Ａからの距離が最も遠い第３の光透過部領域３３ｈが、光源７Ａからの照明光の到達光量が最も低い。
【００３３】
一方、光拡散部３３ｅの透過による照明光の減衰率は、コート印刷層３ｄと２つの白色光拡散層３ｃ，３ｅとが基材３ａに積層形成された第１の光透過部領域３３ｆにおいて最も高く、次に、コート印刷層３ｄと白色光拡散層３ｃとが基材３ａに積層形成された第２の光透過部領域３３ｇにおける照明光の減衰率が高く、コート印刷層３ｄのみが基材３ａに積層形成された第３の光透過部領域３３ｈにおける照明光の減衰率が、最も低い。
【００３４】
このため、光源７Ａからの照明光の到達光量が最も高く光拡散部３３ｅの透過による照明光の減衰率が高い第１の光透過部領域３３ｆと、光源７Ａからの照明光の到達光量が最も低く光拡散部３３ｅの透過による照明光の減衰率が低い第３の光透過部領域３３ｈと、光源７Ａからの照明光の到達光量と光拡散部３３ｅの透過による照明光の減衰率とがいずれも中間である第２の光透過部領域３３ｇとでは、各光透過部領域３３ｆ，３３ｇ，３３ｈを透過して傾斜面３３ａの正面側に照射される照明光の光量が均一化される。
【００３５】
よって、例えば夜間等、傾斜面３３ａ周りを肉眼で視認するのが困難な環境下でも、各光透過部領域３３ｆ，３３ｇ，３３ｈを透過して均一化された照明光を、傾斜面３３ａの対応する正面側部分に照射することができる。
【００３６】
そして、本実施形態の車両用計器では、例えば、起立連絡面３３ｂの背面側の白色光拡散層３ｅの終端部に設けた過渡領域３ｊを拡大した図３の拡大斜視図に示すように、起立連絡面３３ｂの周方向における各Ｖカット部３ｍ，３ｍ，…の先端（白色光拡散層３ｅの終端）に向かうほど、第１の光透過部領域３３ｆに対する白色光拡散層３ｅの占める割合が低くなり、第２の光透過部領域３３ｇよりも低い第１の光透過部領域３３ｆの光透過率が、過渡領域３ｊにおいて、第２の光透過部領域３３ｇとの境界に近づくにつれて第２の光透過部領域３３ｇの光透過率に近づく。
【００３７】
また、図３中には図示されていないが、起立連絡面３３ｂの正面側の白色光拡散層３ｃの終端部に設けた過渡領域３ｋについても同様で、起立連絡面３３ｂの周方向における各Ｖカット部３ｎ，３ｎ，…の先端（白色光拡散層３ｃの終端）に向かうほど、第２の光透過部領域３３ｇに対する白色光拡散層３ｃの占める割合が低くなり、第３の光透過部領域３３ｈよりも低い第２の光透過部領域３３ｇの光透過率が、過渡領域３ｋにおいて、第３の光透過部領域３３ｈとの境界に近づくにつれて第３の光透過部領域３３ｈの光透過率に近づく。
【００３８】
このため、第１と第２の光透過部領域３３ｆ，３３ｇの境界や第２と第３の光透過部領域３３ｇ，３３ｈの境界において、光透過部３３ｅを透過する照明光の光量が急激に変化して、それによる照明ムラが傾斜面３３ａの正面側に発生するのを防止し、第１と第２の光透過部領域３３ｆ，３３ｇの境界や第２と第３の光透過部領域３３ｇ，３３ｈの境界においても、目盛部を構成する意匠抜き部分３３ｄが形成された傾斜面３３ａの正面側を起立連絡面３３ｂの周方向において同じような光量で照明することができる。
【００３９】
そして、図２や図３に示すＶカット部３ｍ，３ｍ，…、３ｎ，３ｎ，…によって過渡領域３ｊ，３ｋを構成すれば、基材３ａの正面側に白色光拡散層３ｃや遮光印刷層３ｂ、半透光性印刷層３ｄを積層形成し、また、基材３ａの背面側に白色光拡散層３ｅを積層形成した後に、環状表示領域３３の傾斜面３３ａや起立連絡面３３ｂを高圧成型やプレス成形、絞り成形等で成形しても、高圧成型やプレス成形に際して折曲される部分や、絞り成形に際して絞られる部分に近い、起立連絡面３３ｂの起立方向の両端部におけるＶカット部３ｍ，３ｎの幅が、図４（ａ）の説明図で示す起立方向の中央部と等しい幅の状態から、図４（ｂ）の説明図で示すように幅広となるだけで、Ｖカット部３ｍ，３ｎとその周辺の白色光拡散層３ｃ，３ｅが除去された部分との存在比率は、各Ｖカット部３ｍ，３ｎとも同じである。
【００４０】
このため、起立連絡面３３ｂの正面側の白色光拡散層３ｃの過渡領域３ｋを透過する照明光や、起立連絡面３３ｂの背面側の白色光拡散層３ｅの過渡領域３ｊを透過する照明光の光量が、起立連絡面３３ｂの起立方向において変化するのを防止し、それによる照明ムラが傾斜面３３ａの正面側に発生しないようにして、第１と第２の光透過部領域３３ｆ，３３ｇの境界や第２と第３の光透過部領域３３ｇ，３３ｈの境界においても、目盛部を構成する意匠抜き部分３３ｄが形成された傾斜面３３ａの正面側を起立連絡面３３ｂの起立方向において同じような光量で照明することができる。
【００４１】
尚、本実施形態では、指針１により指示値を指示する車両用計器を例に取り、指針１の回転範囲に応じて文字板３の計測値の表示領域３１が確保されている場合について説明したが、本発明は、指針１を用いずに例えば液晶ディスプレイ等を用いたアナログ又はデジタル表示で指示値を指示（表示）する車両用計器にも適用可能であり、そのような場合は、液晶ディスプレイ等によるアナログ又はデジタル表示の指示値の指示（表示）エリアを計測値の表示領域として、本発明を適用することができる。
【００４２】
また、本実施形態では、意匠抜き部分３３ｄが、指針１が指示する指示値の目安とするための透過照明式の目盛を構成するものである場合について説明したが、意匠抜き部分が文字や数字、記号等の透過照明部分である場合についても、本発明は適用可能である。
【００４３】
さらに、本実施形態では、白色光拡散層３ｅを起立連絡面３３ｂの背面側に、白色光拡散層３ｃを起立連絡面３３ｂの正面側にそれぞれ積層形成したが、白色光拡散層３ｃ，３ｅを起立連絡面３３ｂの正面側か背面側のどちらか一方にまとめて積層形成してもよい。
【００４４】
また、本実施形態では、第１乃至第３の３つの光透過部領域３３ｆ，３３ｇ，３３ｈの全体に積層形成するコート印刷層３ｄが、クリアー又はスモーク色等の文字板３の表面仕上げ用の材料であったことから、必然的に起立連絡面３３ｂの正面側の最上層にコート印刷層３ｄを積層形成したが、これとは別途に例えば白色光拡散層を第１乃至第３の３つの光透過部領域３３ｆ，３３ｇ，３３ｈの全体に亘って積層形成する場合は、起立連絡面３３ｂの正面側や背面側の任意の層数部分にこれを積層形成してもよいのは、勿論のことである。
【００４５】
さらに、本実施形態では、光透過部３３ｅを、起立連絡面３３ｂの周方向における光源７からの距離が近い順に、基材３ａの正面側の白色光拡散層３ｃや背面側の白色光拡散層３ｅの積層数が異なる第１乃至第３の３つの光透過部領域３３ｆ，３３ｇ，３３ｈに分割し、起立連絡面３３ｂの周方向において隣り合う第１と第２の光透過部領域３３ｆ，３３ｇの境界や第２と第３の光透過部領域３３ｇ，３３ｈの境界に位置する、起立連絡面３３ｂの背面側や正面側の白色光拡散層３ｅ，３ｃの終端部に、複数のＶカット部３ｍ，３ｍ，…、３ｎ，３ｎ，…からなる過渡領域３ｊ，３ｋをそれぞれ設ける構成について説明した。
【００４６】
しかし、光透過部３３ｅの全体に亘って基材３ａの正面側の白色光拡散層３ｃや背面側の白色光拡散層３ｅの積層数を同じくして、複数の光透過部領域に分割しない構成とし、光透過部３３ｅの全体に亘って、基材３ａの正面側の白色光拡散層３ｃや背面側の白色光拡散層３ｅの少なくとも一方に、複数のＶカット部からなる過渡領域を設ける構成としてもよい。
【００４７】
また、本実施形態では、環状表示領域３３が傾斜面３３ａと起立連絡面３３ｂとにより構成されている場合について説明したが、傾斜面３３ａが省略されて表示領域３１の外周から起立連絡面３３ｂが起立形成された文字板についても、本発明は適用可能である。
【図面の簡単な説明】
【００４８】
【図１】本発明が適用される車両用計器の文字板の一例を示す要部截断斜視図である。
【図２】本発明の一実施形態に係る文字板の要部截断斜視図である。
【図３】図２の文字板の一部を詳説する拡大斜視図である。
【図４】（ａ）は図１の環状表示領域の成形加工前、（ｂ）は同成形加工後における、図５の過渡領域の状態を示す説明図である。
【図５】従来の車両用計器の正面図である。
【図６】図５の文字板の要部截断斜視図である。
【図７】図６の傾斜面の照明機能を加えた文字板の要部截断斜視図である。
【図８】図７の文字板の要部拡大断面図である。
【図９】（ａ）は図８の環状表示領域の成形加工前、（ｂ）は同成形加工後における網点印刷部分を示す説明図である。
【符号の説明】
【００４９】
３  文字板
３ａ  基材
３ｃ，３ｅ  白色光拡散層（半透明光拡散層）
３ｄ  コート印刷層（半透明光拡散層）
３ｊ，３ｋ  過渡領域
３ｍ，３ｎ  Ｖカット部
３１  計測値の表示領域
３３  環状表示領域
３３ａ  傾斜面
３３ｂ  起立連絡面
３３ｅ  光透過部
３３ｆ  第１の光透過部領域
３３ｇ  第２の光透過部領域
３３ｈ  第３の光透過部領域
７Ａ  光源
【図１】
2008032399.tif 000003
【図２】
2008032399.tif 000004
【図３】
2008032399.tif 000005
【図４】
2008032399.tif 000006
【図５】
2008032399.tif 000007
【図６】
2008032399.tif 000008
【図７】
2008032399.tif 000009
【図８】
2008032399.tif 000010
【図９】
2008032399.tif 000011